(57)【要約】【課題】ノイズ発生源である光ピックアップユニットから放射された高周波ノイズは、その一部が筐体内壁面で開口部へ近付く方向へ反射しており、筐体内壁に設けられる突起部の形状と位置によって高周波ノイズの反射角度が変化するため、一様な突起形状では十分な散乱効果、即ち不要輻射の抑圧効果が得られないという課題があった。【解決手段】ディスクメディアの挿入／取り出しをするための開口部と高周波信号発生部を有する箱状の電子機器用金属筐体において、導電性の突起部または凹凸部を内壁面に連続的または離散的に形成し、かつ高周波信号発生部に対する突起部または凹凸部を形成する面との対向角度を高周波信号発生部と開口部との距離に応じて変化させ、高周波信号発生部から突起部または凹凸部へ放射された高周波ノイズが突起部または凹凸部において開口部から遠ざかる方向あるいは開口部とは異なる方向に反射するようにした。【選択図】図１
2005310255.tif 000002
【特許請求の範囲】
【請求項１】
ディスクメディアの挿入／取り出しをするための開口部と、高周波ノイズの発生源となる高周波信号発生部を有する箱状の電子機器用金属筐体において、導電性材料で構成され複数の突起または凹凸から成る突起部または凹凸部を前記電子機器用金属筐体の内壁面に連続的または離散的に形成し、かつ形成される各前記突起または各前記凹凸の各々の面と前記高周波信号発生部との対向角度を前記高周波信号発生部と各前記突起または各前記凹凸との距離に応じて変化させ、前記高周波信号発生部から前記突起部または前記凹凸部へ輻射された前記高周波ノイズが前記突起部または前記凹凸部において前記開口部から遠ざかる方向あるいは前記開口部の方向とは異なった方向に反射するようにしたことを特徴とする電子機器用筐体。
【請求項２】
高周波信号発生部が金属筐体の内部で所定の範囲を移動する場合、形成される各突起または各凹凸の各々の面と前記高周波信号発生部との対向角度は、前記高周波信号発生部が前記金属筐体の内部で移動する前記所定の範囲に対応して突起部または凹凸部を構成する前記各突起または前記各凹凸の配置と形状を設定したことを特徴とする請求項１に記載の電子機器用筐体。
【請求項３】
突起部または凹凸部は連続的な波形を一方向へ伸張させたトタン形状であって、前記トタン形状の波の高さあるいは波の幅の少なくとも一方を前記高周波信号発生部と前記突起部または前記凹凸部を構成する各突起または各凹凸との距離に応じて変化させたことを特徴とする請求項１または請求項２のいずれかに記載の電子機器用筐体。
【請求項４】
突起部または凹凸部は離散的な波形を一方向へ伸張させたトタン形状であって、前記トタン形状の波の高さあるいは波の幅の少なくとも一方を前記高周波信号発生部と前記突起部または前記凹凸部を構成する各突起または各凹凸との距離に応じて変化させたことを特徴とする請求項１または請求項２のいずれかに記載の電子機器用筐体。
【請求項５】
突起部または凹凸部は連続的な波形を一方向へ伸張させたトタン形状であって、前記トタン形状の波の頂点位置を高周波信号発生部と前記突起部または前記凹凸部を構成する各突起または各凹凸との距離に応じて変化させたことを特徴とする請求項１ないし請求項３のいずれかに記載の電子機器用筐体。
【請求項６】
突起部または凹凸部は離散的な波形を一方向へ伸張させたトタン形状であって、前記トタン形状の波の頂点位置を高周波信号発生部と前記突起部または前記凹凸部を構成する各突起または各凹凸との距離に応じて変化させたことを特徴とする請求項１、請求項２および請求項４のいずれかに記載の電子機器用筐体。
【請求項７】
突起部または凹凸部は底辺が多角形のくさびを規則的に配置した形状であって、前記くさびの大きさあるいは前記くさびの高さの少なくとも一方を高周波信号発生部と前記突起部または前記凹凸部を構成する各突起または各凹凸との距離に応じて変化させたことを特徴とする請求項１または請求項２のいずれかに記載の電子機器用筐体。
【請求項８】
突起部または凹凸部は、金属筐体とは別の金属板または金属箔を加工して形成したものを前記金属筐体の内壁に貼付して形成したことを特徴とする請求項１ないし請求項７のいずれかに記載の電子機器用筐体。
【請求項９】
突起部または凹凸部は、金属筐体の内壁をプレス加工して形成したことを特徴とする請求項１ないし請求項７のいずれかに記載の電子機器用筐体。
【請求項１０】
突起部または凹凸部の間隙に電磁波吸収体を形成したことを特徴とする請求項１ないし請求項９のいずれかに記載の電子機器用筐体。
【請求項１１】
請求項１ないし請求項１０のいずれかに記載の電子機器用筐体を使用してなる電子機器。
【発明の詳細な説明】
【技術分野】
【０００１】
本発明はＣＤやＤＶＤ等のディスクメディアの挿入／取り出しをするための開口部を有する箱状の電子機器用金属筐体の低ＥＭＩ構造に関するものである。
【背景技術】
【０００２】
近年の電子機器は小型化、高機能化、デジタル化が進み、これに伴って電子機器から放射され他の電子機器に悪影響を与える不要輻射ノイズも増加してきており、これらの不要輻射ノイズを低減するための対策設計が技術的に年々困難になってきている。
【０００３】
このため、箱状の金属筐体を有する多くの電子機器では、金属筐体の隙間や開口部を無くしたり小さくしたりするなど、いわゆる金属筐体の構造をシールドボックス化することで、電子機器外へ輻射される高周波ノイズを低減する方法が多く用いられている。しかしながら、ＣＤやＤＶＤ等のディスクメディア記録・再生装置を備えた電子機器においては、金属筐体の開口部となるディスクメディアの挿入／取り出し部が不可欠であり、また、この開口部の大きさはディスクメディアのサイズ以下には小さくすることができないため、光ピックアップユニットやデジタル信号処理回路といった高周波ノイズの発生源となる高周波信号発生部において発生した高周波ノイズが、電子機器の開口部から機器外へ輻射され易いという課題があった。
【０００４】
これに対し、光ピックアップユニットや高周波回路の周囲を金属板等で覆い、開口部へ到達する高周波ノイズを低減させる方法や、開口部に導電性のシールド材や電磁波吸収材を設けて開口部に至る高調波ノイズを低減する方法が特許文献１や特許文献２などに提示されている。
【特許文献１】特開２００２−１４０８８７号公報
【特許文献２】特開２００３−２６１４８４号公報
【発明の開示】
【発明が解決しようとする課題】
【０００５】
しかしながら、従来の方法では、高周波信号が流れる基板やケーブル全体をシールドすることが難しいため、電子機器からの不要輻射を十分に抑えることが困難であり、また、ディスクメディアやディスクトレイが電子機器の開口部を出入りできるようにするために、開口部を完全なシールド構造にすることができないといった課題があり、実現が容易で電子機器の開口部からの不要輻射低減効果の高い構造が求められていた。
【０００６】
この解決策の一つとして、金属筐体の内壁に凹凸を形成し、この凹凸部の内壁で高周波ノイズを金属筐体内に散乱させることにより開口部に至る高周波ノイズを低減させ、その結果、開口部からの不要輻射を低減させる構造が容易に考えられる。
【０００７】
この容易に考えられる構造について、高周波数で動作する光ピックアップユニットを備えた光ディスクドライブを内蔵する電子機器を例に取り、図４および図５を用いて説明する。
【０００８】
図４は、金属筐体の内壁に凹凸部を持たない場合の高周波ノイズ発生源となる高周波信号発生部から輻射された高周波ノイズが金属筐体の内壁で反射して電子機器の開口部に至る経路を説明した図である。
【０００９】
図４において、１は電子機器の金属筐体、２は金属筐体１に設けられたディスクメディアの挿入／取り出しをするための開口部、３は金属筐体１内に内蔵された光ディスクドライブ、４は光ディスクドライブ３が備えている光ピックアップユニット、５は光ディスクドライブ３のディスクメディアの挿入／取り出しをするためのトレイ、６は光ピックアップユニット４から開口部２へ直接放射される高周波ノイズ、７および８は光ピックアップユニット４から金属筐体１の内壁で反射して開口部２へ放射される高周波ノイズ、９および１０は金属筐体１の内壁で反射して開口部２へ放射される高周波ノイズ７および８が金属筐体１の内壁でそれぞれ反射する位置を示す。
【００１０】
図４に示す構成において、高周波数で動作する光ピックアップユニット４から放射され開口部２へ至る高周波ノイズは、直接開口部２に至る成分（以下、直接成分と呼ぶ）６と金属筐体１の内壁の位置９および１０で反射した後に開口部２に至る成分（以下、反射成分と呼ぶ）７および８に分類することができる。直接成分６は、光ピックアップユニット４から放射される高周波ノイズのごく一部であるのに対し、反射成分７および８は、光ピックアップユニット４と開口部２との間に存在する金属筐体１の内壁全面が対象範囲となるため、電子機器の金属筐体１の開口部２から輻射される高周波ノイズは反射成分７および８が大きな割合を占め、特に光ピックアップユニット４と開口部２の間に電磁的な障害物がある場合には反射成分７および８が支配的となる。
【００１１】
しかしながら、この反射成分は金属面で反射をする毎に金属面の反射係数（約０．７程度）に応じて減衰するため、金属筐体１の内部で反射を繰り返させる（乱反射させる）ことによって反射成分を低減させることができる。そこで、この支配的となる反射成分を低減する一つの方法として、容易に考えられる構造について図５を用いて説明する。
【００１２】
図５は、金属筐体の内壁に例えば単純で一様な凹凸形状の凹凸部を持たせた場合の高周波ノイズ発生源から輻射された高周波ノイズが、金属筐体の内壁で反射して電子機器の開口部に至る経路を説明した図である。
【００１３】
図５において、１は電子機器の金属筐体、２は金属筐体１に設けられたディスクメディアの挿入／取り出しをするための開口部、３は金属筐体１内に内蔵された光ディスクドライブ、４は光ディスクドライブ３が備える光ピックアップユニット、５は光ディスクドライブ３のディスクメディアの挿入／取り出しをするためのトレイ、７ａ、７ｂ、７ｃ、８ａ、８ｂおよび８ｃは光ピックアップユニット４から金属筐体１の内壁で反射して開口部へ放射される高周波ノイズ、１１は金属筐体１の内壁に設けられた突起部あるいは凹凸部を示す。なお、図５においては、説明を簡単にするため光ピックアップユニット４から開口部２へ放射される高周波ノイズの直接成分は省略している。
【００１４】
図５に示す構成において、高周波数で動作する光ピックアップユニット４から放射され金属筐体１の内壁で反射して開口部２へ至る高周波ノイズ７ａ、７ｂ、７ｃ、８ａ、８ｂおよび８ｃは、金属筐体１の内壁に設けられた凹凸部１１に当たることによって開口部２から遠ざかる方向へ反射する。これにより光ピックアップユニット４から放射され金属筐体１の内壁で反射して開口部２へ至る高周波ノイズ７ａ、７ｂ、７ｃ、８ａ、８ｂおよび８ｃの多くが開口部２と異なる方向へ反射されるため、開口部からの輻射を低減できる構造となっていることが分かる。
【００１５】
しかしながら、この構造においても、高周波ノイズ発生源である光ピックアップユニット４から金属筐体１の内壁で反射して開口部２へ至る高周波ノイズ７ａ、７ｂ、７ｃ、８ａ、８ｂおよび８ｃの内、例えば高周波ノイズ７ｂが開口部２に近付く方向へ反射しているように、光ピックアップユニット４から放射された高周波ノイズの反射角度は、凹凸部１１の形状や位置などによって変化するため、単純な、あるいは一様な凹凸形状では開口部からの輻射を低減するための十分な効果が得られないという課題があった。
【課題を解決するための手段】
【００１６】
上記課題を解決するために、第１の本発明（請求項１）は、
ディスクメディアの挿入／取り出しをするための開口部と、高周波ノイズの発生源となる高周波信号発生部を有する箱状の電子機器用金属筐体において、導電性材料で構成され複数の突起または凹凸から成る突起部または凹凸部を前記電子機器用金属筐体の内壁面に連続的または離散的に形成し、かつ形成される各前記突起または各前記凹凸の各々の面と前記高周波信号発生部との対向角度を前記高周波信号発生部と各前記突起または各前記凹凸との距離に応じて変化させ、前記高周波信号発生部から前記突起部または前記凹凸部へ輻射された前記高周波ノイズが、前記突起部または前記凹凸部において前記開口部から遠ざかる方向あるいは前記開口部の方向とは異なった方向に反射するようにしたことを特徴とする電子機器用筐体である。
【００１７】
第２の本発明（請求項２）は、
高周波信号発生部が金属筐体の内部で所定の範囲を移動する場合、形成される各突起または各凹凸の各々の面と前記高周波信号発生部との対向角度は、前記高周波信号発生部が前記金属筐体の内部で移動する前記所定の範囲に対応して突起部または凹凸部を構成する前記各突起または前記各凹凸の配置と形状を設定したことを特徴とする第１の本発明に記載の電子機器用筐体である。
【００１８】
第３の本発明（請求項３）は、
突起部または凹凸部は連続的な波形を一方向へ伸張させたトタン形状であって、前記トタン形状の波の高さあるいは波の幅の少なくとも一方を前記高周波信号発生部と前記突起部または前記凹凸部を構成する各突起または各凹凸との距離に応じて変化させたことを特徴とする第１の本発明または第２の本発明のいずれかに記載の電子機器用筐体である。
【００１９】
第４の本発明（請求項４）は、
突起部または凹凸部は離散的な波形を一方向へ伸張させたトタン形状であって、前記トタン形状の波の高さあるいは波の幅の少なくとも一方を前記高周波信号発生部と前記突起部または前記凹凸部を構成する各突起または各凹凸との距離に応じて変化させたことを特徴とする第１の本発明または第２の本発明のいずれかに記載の電子機器用筐体である。  
【００２０】
第５の本発明（請求項５）は、
突起部または凹凸部は連続的な波形を一方向へ伸張させたトタン形状であって、前記トタン形状の波の頂点位置を高周波信号発生部と前記突起部または前記凹凸部を構成する各突起または各凹凸との距離に応じて変化させたことを特徴とする第１の本発明ないし第３の本発明のいずれかに記載の電子機器用筐体である。
【００２１】
第６の本発明（請求項６）は、
突起部または凹凸部は離散的な波形を一方向へ伸張させたトタン形状であって、前記トタン形状の波の頂点位置を高周波信号発生部と前記突起部または前記凹凸部を構成する各突起または各凹凸との距離に応じて変化させたことを特徴とする第１の本発明、第２の本発明および第４の本発明のいずれかに記載の電子機器用筐体である。
【００２２】
第７の本発明（請求項７）は、
突起部または凹凸部は底辺が多角形のくさびを規則的に配置した形状であって、前記くさびの大きさあるいは前記くさびの高さの少なくとも一方を高周波信号発生部と前記突起部または前記凹凸部を構成する各突起または各凹凸との距離に応じて変化させたことを特徴とする第１の本発明または第２の本発明のいずれかに記載の電子機器用筐体である。
【００２３】
第８の本発明（請求項８）は、
突起部または凹凸部は、金属筐体とは別の金属板または金属箔を加工して形成したものを前記金属筐体の内壁に貼付して形成したことを特徴とする第１の本発明ないし第７の本発明のいずれかに記載の電子機器用筐体である。
【００２４】
第９の本発明（請求項９）は、
突起部または凹凸部は、金属筐体の内壁をプレス加工して形成したことを特徴とする第１の本発明ないし第７の本発明のいずれかに記載の電子機器用筐体である。
【００２５】
第１０の本発明（請求項１０）は、
突起部または凹凸部の間隙に電磁波吸収体を形成したことを特徴とする第１の本発明ないし第９の本発明のいずれかに記載の電子機器用筐体である。
【００２６】
第１１の本発明（請求項１１）は、
第１の本発明ないし第１０の本発明のいずれかに記載の電子機器用筐体を使用してなる電子機器である。
【発明の効果】
【００２７】
本発明の電子機器用筐体は上記の構成を有し、筐体内壁の場所毎に高周波ノイズの異なる入射角に対応した散乱用の突起部または凹凸部を有しているため、筐体内壁で反射して開口部に至る高周波ノイズ成分が大幅に減少し、筐体の開口部から輻射される高周波ノイズを簡単な構成で容易に且つ有効に低減することができる。
【発明を実施するための最良の形態】
【００２８】
ディスクメディアを挿入／取り出しするための開口部を有する箱状の電子機器用金属筐体において、導電性の突起部または凹凸部を内壁面に連続的または離散的に形成し、かつ突起部または凹凸部の形状を前記開口部からの距離に応じて変化させることにより、場所により異なっていた筐体内壁での高周波ノイズ散乱効果を安定化させた。              
【００２９】
以下、本発明の実施の形態について図面を参照しながら説明する。
【００３０】
（実施の形態１）
本発明の実施の形態１について、図１および図２を用いて以下に説明する。
【００３１】
図１は高周波数で動作する光ピックアップユニットを備えた光ディスクドライブを内蔵する電子機器における実施の形態１の電子機器用筐体の一例を示す構造断面図である。図１において、１は電子機器の金属筐体、２は金属筐体１に設けられたディスクメディアの挿入／取り出しをするための開口部、３は金属筐体１に内蔵された光ディスクドライブ、４は光ディスクドライブ３に備えられた光ピックアップユニット、５は光ディスクドライブ３に備えられたディスクメディアの挿入／取り出しをするためのトレイ、７および８は光ピックアップユニット４から放射され金属筐体１の内壁で反射される高周波ノイズ、１１は金属筐体１の内壁に設けられた断面形状が波形の突起部、１１ａは突起部１１の光ピックアップユニット４と向き合っている面、１１ｂは突起部１１の光ピックアップユニット４と向き合っている面１１ａと対になっている面であることを示す。この面１１ｂも、光ピックアップユニット４と突起部１１の位置関係によっては面１１ａと同様に光ピックアップユニット４と向き合う面に成り得る。なお、説明を簡単にするため図１においては光ピックアップユニット４から開口部２へ直接放射される高周波ノイズは省略している。
【００３２】
以上の様に構成された電子機器の金属筐体１において、突起部１１を構成する各々の突起の大きさと各々の突起間の間隔は、光ピックアップユニット４から放射された高周波ノイズ７、８が突起部１１の光ピックアップユニットと向き合っている面１１ａに必ず当るように設定され、さらに突起部１１の光ピックアップユニットと向き合っている面１１ａは高周波ノイズ７、８が開口部２から遠ざかる方向あるいは開口部２の方向とは異なった方向に反射されるように金属筐体１の内壁面における位置毎に各々の突起の傾きが設定されている。このため、光ピックアップユニット４から放射され金属筐体１の内壁で反射して開口部２へ到達し、開口部２から機器外へ輻射されていた高周波ノイズ７、８の大部分は突起部１１で開口部２から遠ざかる方向あるいは開口部２とは異なる方向へ反射されるため、開口部２から電子機器外へ輻射される高周波ノイズを大幅に低減することができる。
【００３３】
次に、金属筐体１の内壁における位置毎に突起部１１の面の角度を設定する方法について図２を用いて説明する。図２において、１は電子機器の金属筐体、１ａ、１ｂ、１ｃおよび１ｄはそれぞれ金属筐体１の内壁面、２は金属筐体１に設けられたディスクメディアの挿入／取り出しをするための開口部、３は金属筐体１に内蔵された光ディスクドライブ、４は光ディスクドライブ３に備えられた光ピックアップユニット、４ａは光ピックアップユニット４の縦方向中心線、４ｂは光ピックアップユニット４の横方向中心線、５は光ディスクドライブ３に備えられたディスクメディアの挿入／取り出しをするためのトレイ、７は光ピックアップユニット４から放射され金属筐体１の内壁面で反射される高周波ノイズ、１１ｎは金属筐体１の内壁に設けられた突起部１１（図示せず）を構成する一つの任意の突起で、この突起１１ｎの断面形状は波形でその断面の幅はＷ、高さはｈであり、１１ｎｐは突起部１１を構成する一つの任意の突起１１ｎの頂点であることを示す。
【００３４】
以上の様に構成された電子機器の金属筐体１において、金属筐体１の壁面と高周波ノイズの発生源である光ピックアップユニット４と向き合う突起部１１を構成する一つの任意の突起１１ｎの面との角度をα、金属筐体１の一つの内壁面１ａと光ピックアップユニット４の縦方向中心線４ａとの距離をＨ、光ピックアップユニット４の横方向中心線４ｂから突起１１ｎの頂点１１ｎｐまでの内壁面１ａに沿った距離をＬとすると、距離がＬの位置で幅：Ｗ、高さ：ｈの突起１１ｎの面に当る高周波ノイズの金属筐体１の内壁面１ａに対する入射角度θと金属筐体１の内壁面１ａに対する突起１１ｎでの反射角度Φは（数１）で表すことができる。
【００３５】
【数１】
2005310255.tif 000003
【００３６】
従って、（数２）のように金属筐体１の内壁面に対する反射角度Φを９０度（π/２）以下に設定することにより突起部１１で反射した高周波ノイズ７を突起部１１から開口部２の方向へ反射させない反射面を形成することができる。
【００３７】
【数２】
2005310255.tif 000004
【００３８】
また、光ピックアップユニット４の横方向の中心線４ｂと光ピックアップユニット４から放射された高周波ノイズ７が突起部１１を構成する一つの任意の突起１１ｎの面に当る位置までの内壁面１ａに沿った距離が、光ピックアップユニット４の横方向の中心線４ｂと突起１１ｎの頂点１１ｎｐの位置までの内壁面１ａに沿った距離：Ｌよりも小さい場合は、ａｒｃｔａｎ（（Ｈ−ｈ）／Ｌ）の値が大きくなって反射角Φが小さくなるので、突起部１１の頂点で反射角Φを設定すれば良いことが判る。
【００３９】
このように、光ピックアップユニット４と金属筐体１の内壁における突起１１ｎとの距離Ｌに応じて突起１１ｎの幅：Ｗまたは高さ：ｈを連続的または離散的に変化させて（数２）を満足させることで突起部１１における高周波ノイズ７を開口部２から遠ざかる方向あるいは開口部２の方向とは異なる方向へ反射させることが可能となる。
【００４０】
なお、実施の形態１における突起部１１は、導電性材料である金属筐体１をプレス加工することにより形成することができるが、その一例として、連続的な波形あるいは離散的な波形を一方向へ伸張させたトタン形状に容易に形成することができる。このプレス加工により形成された突起部１１と同様の効果を得るための方法として、金属箔のような導電性の材料を加工して突起形状体を形成し、この形成された突起形状体を金属筐体１の内壁面に貼付した構造とすることもできる。
【００４１】
また、突起部１１の光ピックアップユニット４と向き合っている面１１ａの金属筐体１の内壁面１ａに対する角度は、突起部１１の突起の頂点位置を変化させることによって設定することもできる。
【００４２】
また、突起部１１の光ピックアップユニット４と向き合っている面１１ａの金属筐体１の内壁面１ａに対する角度の設定は、高周波ノイズを輻射する光ピックアップユニット４がディスクから信号を読み取るあるいはディスクに信号を書き込むために光ディスクドライブ３内部で所定の範囲を移動する場合にも、光ピックアップユニット４が移動する所定の範囲を考慮することにより、例えば図２において、光ピックアップユニット４が所定の範囲を移動するのに伴って変化するＬの値を算出条件に加えることにより、（数２）を適用して設定することができる。
【００４３】
また、金属筐体１は、実施の形態１において、一例として光ディスドライブ３を内蔵する電子機器の筐体としたが、光ディスドライブ３の筐体を金属筐体１としてもよい。
【００４４】
また、突起部１１は、実施の形態１において、一例としてトタン形状としたが、突起部１１は底辺が多角形のくさび形状で規則的に配置されたものであってもよい。
【００４５】
さらに、突起部１１は、実施の形態１において、一例として（数２）を満足するように金属筐体１の内壁面に連続的に形成するとしたが、（数２）を満足するように金属筐体１の内壁面に離散的に形成してもよい。
【００４６】
（実施の形態２）
本発明の実施の形態２について、図３を用いて以下に説明する。
【００４７】
図３は高周波数で動作する光ピックアップユニット４を備えた光ディスクドライブを内蔵する電子機器における実施の形態２の電子機器用筐体の構造断面図である。図３において、１は電子機器の金属筐体、２は金属筐体１に備えられたディスクメディアの挿入／取り出しをするための開口部、３は金属筐体１内に内蔵された光ディスクドライブ、４は光ディスクドライブ３に備えられた光ピックアップユニット、５は光ディスクドライブ３のディスクメディアの挿入／取り出しをするためのトレイ、７および８は光ピックアップユニット４から放射され金属筐体１の内壁面で反射される高周波ノイズ、１１は金属筐体１の内壁面に設けられた断面形状が波形の突起部、１２は突起部１１の空隙に充填された磁性体等の電磁波吸収材を示す。
【００４８】
以上の様に構成された電子機器の金属筐体１において、突起部１１を構成する各々の突起の大きさと各突起間の間隔は、光ピックアップユニット４から放射された高周波ノイズ７、８が各々の突起が光ピックアップユニット４と向き合う面１１ａに必ず当るように設定され、さらに各々の突起の光ピックアップユニット４と向き合う面１１ａは高周波ノイズ成分７、８が開口部２とは異なった方向に反射されるように金属筐体１の内壁面における位置毎に各々の突起の傾きが設定されている。このため、光ピックアップユニット４から放射され金属筐体１の内壁面で反射して開口部２へ到達し、開口部２から機器外へ放射されていた高周波ノイズ７、８の大部分は突起部１１で開口部２から遠ざかる方向、あるいは開口部２とは異なる方向へ反射され、さらに電磁波吸収材１２により高周波ノイズ７、８を減衰させるため、金属筐体１の内壁面での多重反射後に開口部２から機器外へ輻射される高周波ノイズを大幅に低減することができる。
【産業上の利用可能性】
【００４９】
本発明の電子機器用筐体は、高周波ノイズ発生源のシールドや電子機器の開口部にシールド構造を形成するなどの従来の方法に比べ、容易でかつ低コストで電子機器外部への高周波ノイズ成分の輻射を低減することができ、メディアの挿入／取り出し用などの開口部を持つ多くの電子機器筐体への応用が可能である。
【図面の簡単な説明】
【００５０】
【図１】本発明の実施の形態１における、電子機器用筐体の一例を示す構造断面図
【図２】本発明の実施の形態１における、突起部の形状設定を説明するための構造断面図
【図３】本発明の実施の形態２における、電子機器用筐体の一例を示す構造断面図
【図４】金属筐体の内壁に突起部を有さない場合における、高周波ノイズが開口部に至る経路の一例を示す電子機器用筐体の構造断面図
【図５】金属筐体の内壁に単純な突起部を有する場合における、高周波ノイズが開口部に至る経路の一例を示す電子機器用筐体の構造断面図
【符号の説明】
【００５１】
１  金属筐体
１ａ、１ｂ、１ｃ、１ｄ  金属筐体１の内壁面
２  開口部
３  光ディスクドライブ
４  光ピックアップユニット
４ａ  光ピックアップユニット４の縦方向中心線
４ｂ  光ピックアップユニット４の横方向中心線
５  トレイ
６  光ピックアップから放射される高周波ノイズの直接成分
７、７ａ、７ｂ、７ｃ  光ピックアップから放射される高周波ノイズの反射成分
８、８ａ、８ｂ、８ｃ  光ピックアップから放射される高周波ノイズの反射成分
９、１０  筐体内壁面での反射位置
１１  突起部
１１ｎ  突起部１１を構成する一つの任意の突起
１１ｎｐ  突起部１１を構成する一つの任意の突起１１ｎの頂点
１１ａ  突起部１１の光ピックアップユニット４と向き合っている面
１１ｂ  突起部１１の光ピックアップユニット４と向き合っている面と対になっている面
１２  電磁波吸収材
【図１】
2005310255.tif 000005
【図２】
2005310255.tif 000006
【図３】
2005310255.tif 000007
【図４】
2005310255.tif 000008
【図５】
2005310255.tif 000009